(57)【要約】【課題】個別通話と一斉放送で同じ伝送線路を使用して省配線化を図る。【解決手段】音声信号を通過させる音声バイパス回路７１が接点部７０におけるロビーインターホン１側の接点（共通接点７０ａ）と住戸別線Ｌ２側の接点（常閉側切替接点７０ｃ）との間に挿入されている。このため、接点部７０の状態にかかわらず、信号線Ｌｄについては全ての住戸別線Ｌ２が常に幹線Ｌ１と接続された状態となり、分岐器の７音声バイパス回路７１を介して全ての住戸機２に一斉放送を行うことが可能であって、個別通話用の信号線Ｌｄを一斉放送にも用いることで省配線化が図れる。【選択図】        図１
2006174075.tif 000002
【特許請求の範囲】
【請求項１】
集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器とを備え、
伝送線路は、共用部装置に接続された幹線と各住戸機に接続された住戸別線とを含むとともに幹線と各住戸別線との接続部位にそれぞれ介装された複数台の分岐器を有し、幹線および住戸別線は、少なくとも選択手段の操作に伴って発生し個別通話の開始を指示する制御信号を伝送する制御線と、音声信号を伝送する信号線とからなり、
住戸機は、共用部装置並びにドアホン子器との間で各々信号線及び子器接続線を介した通話を行う通話手段と、住戸別線の信号線の線間に直流電圧を印加する幹線電源供給手段と、制御線を介して伝送される制御信号を受信したときに幹線電源供給手段に直流電圧を印加させる制御手段とを備え、
分岐器は、信号線について共用部装置側の幹線を送り側の幹線に接続する状態と共用部装置側の幹線を住戸別線に接続する状態とが択一的に切替可能な接点部と、接点部における共用部装置側の接点と住戸別線側の接点との間に挿入されて音声信号を通過させる音声信号通過部と、共用部装置により選択された住戸機に対応する住戸別線の線間に直流電圧が印加されると接点部を切り替えて幹線を住戸別線に接続する状態とする接点切替部とを備え、
接点切替部は、住戸別線を介して音声信号通過部に印加される直流電圧を音声信号から分離し、分離した直流電圧から得られる電源によって接点部を切り替えることを特徴とする集合住宅用インターホンシステム。
【請求項２】
接点切替部は、住戸別線に直流電圧が印加されていないときの入力インピーダンスを、住戸別線に直流電圧が印加されているときの入力インピーダンスよりも高い値に切り替えるインピーダンス切替回路を備えたことを特徴とする請求項１記載の集合住宅用インターホンシステム。
【請求項３】
インピーダンス切替回路は、音声信号通過部を通過する音声信号の最大振幅よりも高く且つ住戸別線に印加される直流電圧より低い電圧で動作する定電圧素子を有し、定電圧素子が動作状態から非動作状態になったときに入力インピーダンスを前記高い値に切り替えることを特徴とする請求項２記載の集合住宅用インターホンシステム。
【発明の詳細な説明】
【技術分野】
【０００１】
本発明は、集合住宅の共用玄関に設置された共用部装置と各住戸にそれぞれ設置される住戸機の何れか１台との間で択一的に通信路を確立して通話可能とする集合住宅用インターホンシステムに関し、特に共用部装置と１台の住戸機とが一対一で通話する個別通話の他に、集合住宅の管理室などに設置された一斉放送機器により全ての住戸機へ音声を一斉に放送することができる集合住宅用インターホンシステムに関するものである。
【背景技術】
【０００２】
従来、集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器とを備えた集合住宅用インターホンシステムが提供されている（例えば、特許文献１参照）。
【０００３】
ここで、伝送線路は、共用部装置に接続された幹線と各住戸機に接続された住戸別線とを含むとともに幹線と各住戸別線との接続部位にそれぞれ介装された複数台の分岐器を有し、住戸別線には音声信号と映像信号が多重化されて伝送される。この分岐器は、住戸別線について共用部装置側の幹線を送り側の幹線に接続する状態と共用部装置側の幹線を住戸別線に接続する状態とが択一的に切替可能な接点部と、共用部装置により選択された住戸機に対応する住戸別線の線間に直流電圧が印加されると接点部を切り替えて幹線を住戸別線に接続する状態とする接点切替部とを備えている。
【０００４】
而して、共用部装置と選択された何れか１台の住戸機との間で一対一の通話（以下、「個別通話」という）を行う場合、選択された住戸機が住戸別線に直流電圧を印加することで当該住戸別線と幹線との接続部位に介装された分岐器において共用部装置側の幹線を住戸別線に接続する状態へ接点切替部が接点部を切り替えることにより、他の全ての住戸機が幹線から切り離された状態となるから、伝送線路の容量成分や誘導成分の増大を抑えて音声信号や映像信号の伝送損失を低減することができるものである。
【特許文献１】特許第３３１１５３６号公報
【発明の開示】
【発明が解決しようとする課題】
【０００５】
ところで、火災や地震のような災害発生時等において、集合住宅の管理室に設置された一斉放送機器（例えば、いわゆる警報監視盤などのように音声入力が可能であって幹線を介して各住戸機に音声信号を送信し得る構成を備えた機器）から全ての住戸の住戸機に対して避難誘導等ための音声を一斉に放送したい場合があり、従来は、幹線とは別に一斉放送用の伝送線路が設けられていた。しかしながら、近年では省配線化の要望が高まっており、一斉放送用の専用線を設ける代わりに、通常の個別通話用の伝送線路で一斉放送を行うことが望ましい。
【０００６】
しかしながら、上述のような従来例では、住戸別線と幹線との接続部位に介装された分岐器が、共用部装置側の幹線を送り側の幹線に接続する状態と共用部装置側の幹線を住戸別線に接続する状態とを択一的に切り替えるため、複数台の住戸機の住戸別線を幹線に同時に接続することができず、システム構成上、個別通話用の伝送線路で一斉放送を行うことができなかった。
【０００７】
本発明は上記事情に鑑みて為されたものであり、その目的は、個別通話と一斉放送で同じ伝送線路を使用して省配線化が図れる集合住宅用インターホンシステムを提供することにある。
【課題を解決するための手段】
【０００８】
請求項１の発明は、上記目的を達成するために、集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器とを備え、伝送線路は、共用部装置に接続された幹線と各住戸機に接続された住戸別線とを含むとともに幹線と各住戸別線との接続部位にそれぞれ介装された複数台の分岐器を有し、幹線および住戸別線は、少なくとも選択手段の操作に伴って発生し個別通話の開始を指示する制御信号を伝送する制御線と、音声信号を伝送する信号線とからなり、住戸機は、共用部装置並びにドアホン子器との間で各々信号線及び子器接続線を介した通話を行う通話手段と、住戸別線の信号線の線間に直流電圧を印加する幹線電源供給手段と、制御線を介して伝送される制御信号を受信したときに幹線電源供給手段に直流電圧を印加させる制御手段とを備え、分岐器は、信号線について共用部装置側の幹線を送り側の幹線に接続する状態と共用部装置側の幹線を住戸別線に接続する状態とが択一的に切替可能な接点部と、接点部における共用部装置側の接点と住戸別線側の接点との間に挿入されて音声信号を通過させる音声信号通過部と、共用部装置により選択された住戸機に対応する住戸別線の線間に直流電圧が印加されると接点部を切り替えて幹線を住戸別線に接続する状態とする接点切替部とを備え、接点切替部は、住戸別線を介して音声信号通過部に印加される直流電圧を音声信号から分離し、分離した直流電圧から得られる電源によって接点部を切り替えることを特徴とする。
【０００９】
この発明によれば、音声信号を通過させる音声信号通過部が接点部における共用部装置側の接点と住戸別線側の接点との間に挿入されているため、接点部の状態にかかわらず、信号線については全ての住戸別線が常に幹線と接続された状態となり、分岐器の音声信号通過部を介して全ての住戸機に一斉放送を行うことが可能であって、個別通話用の信号線を一斉放送にも用いることで省配線化が図れる。しかも、一斉放送時には何れの住戸機からも住戸別線に直流電圧を印加する必要が無く、複数台の住戸機が同時に直流電圧を印加することによる電圧の衝突が発生しない。
【００１０】
請求項２の発明は、請求項１の発明において、接点切替部は、住戸別線に直流電圧が印加されていないときの入力インピーダンスを、住戸別線に直流電圧が印加されているときの入力インピーダンスよりも高い値に切り替えるインピーダンス切替回路を備えたことを特徴とする。
【００１１】
この発明によれば、音声信号通過部によって分岐器の接点切替部が常に伝送線路に接続された状態であっても、一斉放送時若しくは個別通話時に通話対象でない住戸機が接続された分岐器の接点切替部により伝送線路のインピーダンスが低下することを防止できるから、伝送線路に接続可能な住戸機の台数を増やすことができる。
【００１２】
請求項３の発明は、請求項２の発明において、インピーダンス切替回路は、音声信号通過部を通過する音声信号の最大振幅よりも高く且つ住戸別線に印加される直流電圧より低い電圧で動作する定電圧素子を有し、定電圧素子が動作状態から非動作状態になったときに入力インピーダンスを前記高い値に切り替えることを特徴とする。
【００１３】
この発明によれば、音声信号の振幅を定電圧素子が動作したときの定電圧まで大きくすることができ、音声信号の伝送距離を伸ばすことができる。
【発明の効果】
【００１４】
請求項１の発明によれば、音声信号を通過させる音声信号通過部が接点部における共用部装置側の接点と住戸別線側の接点との間に挿入されているため、接点部の状態にかかわらず、信号線については全ての住戸別線が常に幹線と接続された状態となり、分岐器の音声信号通過部を介して全ての住戸機に一斉放送を行うことが可能であって、個別通話用の信号線を一斉放送にも用いることで省配線化が図れ、しかも、一斉放送時には何れの住戸機からも住戸別線に直流電圧を印加する必要が無く、複数台の住戸機が同時に直流電圧を印加することによる電圧の衝突が発生しないという効果がある。
【発明を実施するための最良の形態】
【００１５】
（実施形態１）
本実施形態のシステム構成図を図２に示す。本実施形態では、集合住宅の共用玄関に設置される共用部装置（ロビーインターホン）１と、各住戸にそれぞれ配置される複数台の住戸機２とを備え、ロビーインターホン１と住戸機２とが伝送線路を介して接続されている。伝送線路は、ロビーインターホン１に接続される幹線Ｌ１と、各住戸機２にそれぞれ接続される住戸別線Ｌ２とを含み、幹線Ｌ１と各住戸別線Ｌ２との間にはそれぞれ分岐器７が介装される。さらに、本実施形態では幹線Ｌ１を複数系統（図では２系統）に分岐するための経路切替器１０が設けられている。
【００１６】
伝送線路は、経路切替器１０を介してロビーインターホン１に接続される幹線Ｌ１と、幹線Ｌ１から分岐されて各住戸機２にそれぞれ接続される住戸別線Ｌ２とを含む。この伝送線路としては、２対以上のペア線をシース内に備える多対ツイストペアケーブルを用いており、図示例ではロビーインターホン１と住戸機２との間で、ロビーインターホン１が具備するカメラ（図示せず）で撮像された映像信号と音声信号とを多重伝送する信号線Ｌｄと、ロビーインターホン１が有する選択手段（後述する）により選択された住戸機２を指定する制御信号を伝送する制御線Ｌｃとにそれぞれペア線を用いている。つまり、図示例の伝送線路では２対のペア線を用いている。ここで、信号線Ｌｄを介して伝送される映像信号はロビーインターホン１において周波数変調され、周波数変調された映像信号（以下、「ＦＭ映像信号」と呼ぶ）と音声信号とは周波数帯域が異なるから（音声信号に対してＦＭ映像信号は周波数が十分に高い）、周波数多重化の技術によって多重化することができる。そして、信号線Ｌｄを介して音声信号と多重化されて伝送されるＦＭ映像信号が、後述するように各住戸機２に設けた多重分離回路２０１で分離された後にＦＭ復調部２５ａで周波数復調されてモニタ２２に表示される。
【００１７】
ロビーインターホン１は、音声を入出力するマイクロホン及びスピーカと、来訪者を撮像するカメラと、カメラから出力する映像信号を周波数変調するＦＭ変調回路と、住戸番号をしているための番号キーと呼出釦を有する選択手段とを備え、来訪者が番号キーを操作して訪問先の住戸番号を選択した後に呼出釦を操作すると住戸番号に対応する住戸機２を選択したことになる。ここで、ロビーインターホン１には通話線Ｌａ及び制御線Ｌｃを介して通話制御装置５が接続されており、ロビーインターホン１で選択された住戸番号が制御線Ｌｃを介して通話制御装置５に伝送されると、通話制御装置５が当該住戸番号に対応する住戸機２に対して制御線Ｌｃを介して制御信号（呼出コマンド）を送出する。またロビーインターホン１から通話制御装置５を経由する通話線Ｌａを介して伝送される音声信号と、ロビーインターホン１から映像線Ｌｂを介して伝送されるＦＭ映像信号とを多重化する機能を持った幹線制御装置３がロビーインターホン１と各住戸機２との間に設けられる。
【００１８】
一方、住戸機２は、音声を入出力するマイクロホン２１ａ及びスピーカ２１ｂを備え、マイクロホン２１ａとスピーカ２１ｂとはそれぞれ増幅器２４ａ，２４ｂを介して音声回路２４ｃに接続されている。ここで、上述のように音声信号と映像信号との両方で信号線Ｌｄを用いるために、幹線制御装置３及び住戸機２にはそれぞれ多重分離回路２０１を設けている。幹線制御装置３と住戸機２とにそれぞれ用いている多重分離回路２０１は同構成であって、音声回路２４ｃと信号線Ｌｄとの間に挿入される低周波通過部２０１ａと、結合トランス２５ｃと信号線Ｌｄとの間に挿入される高周波通過部２０１ｂとからなる（但し、幹線制御装置３については図示を省略する。）。低周波通過部２０１ａは音声信号に対して低インピーダンスであって映像信号に対して高インピーダンスのものを用い、高周波通過部２０１ｂは音声信号に対して高インピーダンスであって映像信号に対して低インピーダンスのものを用いる。図示例では、低周波通過部２０１ａとしてインダクタを用い、高周波通過部２０１ｂとしてコンデンサを用いている。尚、低周波通過部２０１ａよりも音声回路２４ｃ側で信号線Ｌｄの線間に幹線電源重畳回路２００により直流電圧が印加されるようになっており、この直流電圧が音声信号に与える影響を取り除くために低周波通過部２０１ａと音声回路２４ｃとの間には直流電圧を阻止するコンデンサ２０２並びに音声信号を通過させる結合トランス２０３が挿入されている。音声回路２４ｃは、２線の信号線Ｌｄと２個の増幅器２４ａ，２４ｂの入力線及び出力線とを２線４線変換する回路を含み、マイクロホン２１ａから入力される音声信号を多重分離回路２０１を介して信号線Ｌｄに送出し、多重分離回路２０１で分離された信号線Ｌｄからの音声信号をスピーカ２１ｂ側に出力する機能を備えている。したがって、ロビーインターホン１と住戸機２との間で信号線Ｌｄを通して音声信号を授受することができ、来訪者がロビーインターホン１を用いるとともに居住者が住戸機２を用いることによって、来訪者と居住者との間で音声通話が可能となる。
【００１９】
住戸機２に設けた音声回路２４ｃには、子器インタフェース回路２３及び子器接続線Ｌ３を介してドアホン子器６が接続される。ドアホン子器６は集合住宅の各住戸の玄関先に配置されるものであってマイクロホンおよびスピーカを備え、子器インタフェース回路２３はドアホン子器６との通話のための音声双方向増幅回路や音声回路２４ｃを接続するための開閉路回路などを備える。したがって、ドアホン子器６と住戸機２との間での通話が可能になっている。また、ドアホン子器６には呼出釦が設けられ、子器インタフェース回路２３ではドアホン子器６での呼出釦の操作時に呼出音を音声回路２４ｃに入力して、スピーカ２１ｂから送出させる機能も備える。ドアホン子器６の電源は住戸機２に内蔵した子器電源部２８ａから電源重畳回路２８ｂを介して供給される。電源重畳回路２８ｂは音声信号伝送帯域に対するインピーダンスを高くして子器接続線Ｌ３に電源を重畳する回路である。ここに、子器接続線Ｌ３には伝送線路とは別シースのケーブルを用いるのが一般的であるが、伝送線路の中の１対のペア線を流用することも可能である。
【００２０】
住戸機２において、モニタ２２には液晶表示器あるいはＣＲＴが用いられる。信号線Ｌｄを通して住戸機２に入力されるＦＭ映像信号は、多重分離回路２０１で分離された後に平衡−不平衡変換のための結合トランス２５ｃを介して増幅器２５ｂに入力され、増幅器２５ｂで増幅された後にＦＭ復調部２５ａにおいて周波数復調される。ＦＭ復調部２５ａから出力された映像信号は、モニタ２２に入力されることによってモニタ２２の画面に映像を表示する。つまり、ロビーインターホン１のカメラにおいて撮像された来訪者の映像が住戸機２のモニタ２２に表示されるから、住戸内の居住者が来訪者を確認することができるのである。
【００２１】
住戸機２には内部回路を制御するＣＰＵ２０が設けられ、ＣＰＵ２０には制御線Ｌｃとのインタフェースとなる制御信号送受信回路２６が接続される。制御信号送受信回路２６は、ＣＰＵ２０から出力された制御信号を制御線Ｌｃに送出し、制御線Ｌｃから受信した制御信号をＣＰＵ２０に引き渡す機能を有する。住戸機２の内部電源は、電源回路２７によって商用電源（交流１００Ｖ）から生成される。
【００２２】
ここで、制御線Ｌｃについては、幹線Ｌ１と住戸別線Ｌ２とが分岐器７内において直結され、経路切替器１０において各系統の幹線Ｌ１を直結している。したがって、通話制御装置５から送出された制御信号は制御線Ｌｃに接続されるすべての住戸機２に伝送される。ここに、住戸機２のＣＰＵ２０には個別にアドレス（たとえば、住戸番号）が設定されており、ロビーインターホン１においてアドレスを選択することによって、アドレスを指定する制御信号（呼出コマンド）が通話制御装置５から制御線Ｌｃを介して全ての住戸機２に伝送することが可能になっている。住戸機２のＣＰＵ２０は、制御信号に含まれるアドレスが自己のアドレスであれば、住戸別線Ｌ２の信号線Ｌｄにおける幹線Ｌ１と音声回路２４ｃとの間に挿入された住戸機リレーのリレー接点２９を閉成してロビーインターホン１との間に通信路を確立するとともに、ＦＭ復調部２５ａやモニタ２２を起動してロビーインターホン１のカメラにおいて撮像された来訪者の映像を住戸機２のモニタ２２に表示させ、さらに音声回路２４ｃを通じてスピーカ２１ｂから呼出音を送出させるように構成されている。なお、制御信号はロビーインターホン１から住戸機２の呼出に用いるだけではなく、一斉放送の開始を指示する目的にも用いられる。この種の制御信号にはベースバンド信号を用いることもあり、ベースバンド信号は周波数帯域が広く、音声信号や映像信号との分離が困難であるから、このことからも音声信号および映像信号と制御信号とを各別に伝送することが伝送品質の点から必要になる。
【００２３】
本実施形態に用いる経路切替器１０は、１系統の幹線Ｌ１（信号線Ｌｄ及び制御線Ｌｃ）を２系統の幹線Ｌ１に分岐し、分岐した２系統の各幹線Ｌ１における信号線Ｌｄに切替型の幹線リレー接点１１Ａ，１１Ｂをそれぞれ挿入して構成されている。但し、以下では説明を簡単にするために、幹線制御装置３と経路切替器１０の間を接続する幹線Ｌ１を幹線Ｌ１0、経路切替器１０を介して分岐された２系統の幹線Ｌ１をそれぞれ幹線Ｌ１1及び幹線Ｌ１2と表記し、一方の幹線Ｌ１1に分岐器７を介して分岐接続された複数台の住戸機２を住戸機２11，２12，…、他方の幹線Ｌ１2に分岐器７を介して分岐接続された複数台の住戸機２を住戸機２21，２22，…、各住戸機２11，２12，…、２21，…と住戸別線Ｌ２で接続される分岐器７をそれぞれ分岐器７11，７12，…、７21，…と表記する。
【００２４】
幹線リレー接点１１Ａ，１１Ｂは、各幹線Ｌ１1，Ｌ１2の幹線Ｌ１0側に設けられた共通接点１１ａと、共通接点１１ａに対して常閉である常閉側切替接点１１ｂと、共通接点１１ａに対して常開であって各幹線Ｌ１1，Ｌ１2の住戸機２側に設けられた常開側切替接点１１ｃとからなり、一方の常閉側切替接点１１ｂと他方の常開側切替接点１１ｃ同士が直流電圧を阻止する直流電圧阻止用のコンデンサ１３Ａ，１３Ｂを介してそれぞれ接続されて構成されている。そして、これら２つの幹線リレー接点１１Ａ，１１Ｂは、幹線リレー駆動部１２Ａ，１２Ｂにより幹線リレー（図示せず）を駆動することで共通接点１１ａが常閉側切替接点１１ｂから常開側切替接点１１ｃに切替接続されるものであって、幹線リレー駆動部１２Ａ，１２Ｂが幹線リレーを駆動していない状態では、ロビーインターホン１側の幹線Ｌ１0と一方の系統の幹線Ｌ１1とが幹線リレー接点１１Ｂ及びコンデンサ１３Ｂを介して接続されるとともにロビーインターホン１側の幹線Ｌ１0と他方の系統の幹線Ｌ１2とが幹線リレー接点１１Ａ及びコンデンサ１３Ａを介して接続された状態にあり、幹線リレー駆動部１２Ａが制御対象である幹線リレーを駆動している状態では、幹線リレー接点１１Ａの共通接点１１ａと常開側切替接点１１ｃが接続されることにより、ロビーインターホン１側の幹線Ｌ１0と一方の系統の幹線Ｌ１1とが接続されて周波数多重された音声信号および映像信号が通過するとともに、幹線リレー接点１１Ｂについては共通接点１１ａと常閉側切替接点１１ｂは接続されたままであることにより、ロビーインターホン１側の幹線Ｌ１0および一方の系統の幹線Ｌ１1と、他方の系統の幹線Ｌ１2は切り離された状態になる。また、幹線リレー駆動部１２Ｂが制御対象である幹線リレーを駆動している状態では、幹線リレー接点１１Ｂの共通接点１１ａと常開側切替接点１１ｃが接続されることにより、ロビーインターホン１側の幹線Ｌ１0と他方の系統の幹線Ｌ１2とが接続されて周波数多重された音声信号および映像信号が通過するとともに、幹線リレー接点１１Ａについては共通接点１１ａと常閉側切替接点１１ｂは接続されたままであることにより、ロビーインターホン１側の幹線Ｌ１0および他方の系統の幹線Ｌ１2と、一方の系統の幹線Ｌ１1は切り離された状態になる。この幹線リレー駆動部１２Ａ，１２Ｂは、音声信号並びに映像信号の通過を阻止する一対のインダクタ１２ａと、交流入力端がそれぞれインダクタ１２ａを介して信号線Ｌｄに接続されたダイオードブリッジ１２ｂと、ダイオードブリッジ１２ｂの脈流出力端から取り出した直流電圧を定電圧化して幹線リレーの励磁コイルに励磁電流を流す駆動回路１２ｃとで構成されている。
【００２５】
次に本発明の要旨である分岐器７の構成を説明する。分岐器７は、図１（ａ）に示すように幹線Ｌ１1，Ｌ１2と住戸別線Ｌ２における信号線Ｌｄの分岐点に挿入された切替型の接点部７０を備えている。この接点部７０は、幹線Ｌ１1，Ｌ１2の信号線Ｌｄにおける幹線Ｌ１0側に設けられた一対の共通接点７０ａと、各々の共通接点７０ａに対して常閉であって幹線Ｌ１1，Ｌ１2の信号線Ｌｄにおける送り側に設けられた一対の常閉側切替接点７０ｂと、各々の共通接点７０ａに対して常開であって信号線Ｌｄの住戸別線Ｌ２側に設けられた一対の常開側切替接点７０ｃとからなり、信号線Ｌｄについてロビーインターホン１側の幹線Ｌ１1又はＬ１2を送り側の幹線Ｌ１1又はＬ１2に接続する状態（共通接点７０ａと常閉側切替接点７０ｂが接続された状態）とロビーインターホン１側の幹線Ｌ１1又はＬ１2を住戸別線Ｌ２に接続する状態（共通接点７０ａと常開側切替接点７０ｃが接続される状態）とが択一的に切替可能に構成されている。また、一対の共通接点７０ａと一対の常開側切替接点７０ｃとは音声バイパス回路７１を介してそれぞれ接続されている。音声バイパス回路７１は、音声信号に対して低インピーダンスであってＦＭ映像信号に対して高インピーダンスのインピーダンス素子であるインダクタ７１ａと、音声信号に対して低インピーダンスであり且つ直流を阻止するインピーダンス素子であるコンデンサ７１ｂとの直列回路からなる。
【００２６】
また接点部７０は、接点切替部７２によって接点リレー（図示せず）を駆動することにより共通接点７０ａと常閉側切替接点７０ｂが接続された状態から共通接点７０ａと常開側切替接点７０ｃが接続された状態へと切り替えられる。接点切替部７２は、ＦＭ映像信号に対して高インピーダンスのインピーダンス素子であるインダクタ７２ａと、交流入力端がそれぞれインダクタ７２ａを介して音声バイパス回路７１と接続されたダイオードブリッジ７２ｂと、音声信号に対して高インピーダンスであってダイオードブリッジ７２ｂの脈流出力から直流電圧を分離して接点リレーの励磁コイルに励磁電流を流す電源分離回路７２ｃとで構成されている。電源分離回路７２ｃは、図１（ｂ）に示すようにダイオードブリッジ７２ｂの高電位側の脈流出力端に一端が接続された抵抗Ｒ１と、抵抗Ｒ１の他端とダイオードブリッジ７２ｂの低電位側の脈流出力端の間に互いに並列接続されたコンデンサＣ１並びにツェナーダイオードＺＤ１と、ダイオードブリッジ７２ｂの高電位側の脈流出力端にコレクタが接続されるとともにベースがツェナーダイオードＺＤ１のカソードに接続されたｎｐｎ型のバイポーラトランジスタＱ１と、アノードがトランジスタＱ１のエミッタと接続されるとともにカソードがコレクタに接続されたダイオードＤ１とで構成される。すなわち、電源分離回路７２ｃでは、トランジスタＱ１と抵抗Ｒ１、コンデンサＣ１によりベース接地回路を形成しており、トランジスタＱ１の電流増幅特性を用い、抵抗Ｒ１およびトランジスタＱ１のコレクタ−エミッタ間インピーダンスにより 音声信号に対する入力インピーダンスを高くするとともに、ツェナーダイオードＺＤ１によりトランジスタＱ１のエミッタ電圧を定電圧化しており、トランジスタＱ１のエミッタとダイオードブリッジ７２ｂの低電位側の脈流出力端との間から、住戸機２によって信号線Ｌｄに印加される直流電圧を音声信号から分離して取り出すことができ、この直流電圧を図示しない励磁コイルに印加することで励磁電流を流して接点リレーを駆動することができる。尚、ダイオードＤ１は逆電圧保護のためのものである。
【００２７】
次に図１及び図２を参照して本実施形態の動作を説明する。まず、ロビーインターホン１と、ロビーインターホン１で選択された１台の住戸機２（例えば、住戸機２11）との間で個別通話する場合について説明する。ロビーインターホン１で選択された住戸機２11に対して通話制御装置５から制御線Ｌｃを介して制御信号（呼出コマンド）が伝送され、この制御信号に含まれるアドレスが一致した住戸機２11では、ＣＰＵ２０が呼出コマンドに応じて住戸機リレーのリレー接点２９を閉成するとともに幹線電源重畳回路２００によって幹線Ｌ１1における信号線Ｌｄの線間に直流電圧を印加する。すると、住戸別線Ｌ２で住戸機２11と接続された分岐器７11では、住戸別線Ｌ２における信号線Ｌｄの線間に直流電圧が印加されると電源分離回路７２ｃによって分離された直流電圧で接点リレーの励磁コイルに励磁電流を流すことにより接点リレーを駆動し、接点部７０の共通接点７０ａを常閉側切替接点７０ｂから常開側切替接点７０ｃに切替接続する。そして、接点部７０が切り替えられることによって住戸機２11から信号線Ｌｄの線間に印加された直流電圧が幹線Ｌ１1にも印加されるため、経路切替器１０の幹線リレー駆動部１２Ａでは駆動回路１２ｃが動作して幹線リレーの励磁コイルに励磁電流を流すことにより幹線リレーを駆動し、幹線Ｌ１1に挿入されている幹線リレー接点１１Ａにおいて共通接点１１ａを常閉側切替接点１１ｂから常開側切替接点１１ｃに切替接続する。その結果、ロビーインターホン１から出力されるＦＭ映像信号が幹線Ｌ１0，Ｌ１1並びに住戸別線Ｌ２の信号線Ｌｄを介して住戸機２11に伝送されるから、住戸機２11ではＣＰＵ２０がＦＭ復調部２５ａやモニタ２２を起動してロビーインターホン１のカメラにおいて撮像された来訪者の映像を住戸機２のモニタ２２に表示させ、さらに音声回路２４ｃを通じてスピーカ２１ｂから呼出音を送出させる。そして、ロビーインターホン１からの呼出に応答して居住者が住戸機２11の応答釦（図示せず）を押操作すると、住戸機２11のＣＰＵ２０が音声回路２４ｃを動作させて通話可能な状態とする。
【００２８】
一方、ロビーインターホン１に選択されなかった住戸機２12，…、２21，…では、ＣＰＵ２０が住戸機リレーのリレー接点２９を閉成せず、また幹線電源重畳回路２００によって信号線Ｌｄの線間に直流電圧を印加しないから、ロビーインターホン１に選択されなかった住戸機２12，…、２21，…と住戸別線Ｌ２で接続された分岐器７12，…、７21，…では接点部７０が切り替えられずに共通接点７０ａが常閉側切替接点７０ｂに接続された状態のままとなる。
【００２９】
また、経路切替器１０では、ロビーインターホン１に選択されなかった住戸機２21，…のみが分岐接続されている幹線Ｌ１2に挿入されている幹線リレー接点１２Ｂにおいて共通接点１１ａが常閉側切替接点１１ｂに接続された状態のままとなる。このとき、経路切替器１０では幹線リレー接点１１Ａの常開側切替接点１１ｃと幹線リレー接点１１Ｂの常閉側切替接点１１ｂとの間に挿入されたコンデンサ１３Ｂにより、住戸機２11の幹線電源重畳回路２００によって信号線Ｌｄの線間に印加された直流電圧を阻止しているため、幹線リレー接点１１Ｂを介して他方の幹線リレー駆動部１２Ｂに直流電圧が印加されることがなく、幹線Ｌ１2における信号線Ｌｄに挿入された幹線リレー接点１１Ｂが誤って切り替えられることを防いでいる。
【００３０】
上述した動作により、経路切替器１０においては２系統の幹線Ｌ１1，Ｌ１2のうちでロビーインターホン１に選択された住戸機２11が分岐接続された幹線Ｌ１1のみがロビーインターホン１側の幹線Ｌ１0と接続されるとともに、他方の幹線Ｌ１2がロビーインターホン１側の幹線Ｌ１0と切り離され、幹線Ｌ１1に介装されている複数台の分岐器７のうちでロビーインターホン１に選択された住戸機２11と住戸別線Ｌ２で接続された分岐器７11のみで幹線Ｌ１1が住戸別線Ｌ２と接続されるように接点部７０が切り替えられるから、ロビーインターホン１と選択された住戸機２11との間でのみ通話が可能になるとともに、選択された住戸機２11でのみロビーインターホン１のカメラで撮像された来訪者をモニタ２２に表示することが可能になる。尚、分岐器７11においては音声バイパス回路７１を介して幹線Ｌ１1と住戸別線Ｌ２の信号線Ｌｄが接続された状態にあるが、音声バイパス回路７１ではＦＭ映像信号に対して高インピーダンスとなるインダクタ７１ａが伝送線路上に挿入されているから、結局、ＦＭ映像信号の伝送線路についてはロビーインターホン１に選択された住戸機２11のみが幹線Ｌ１0，Ｌ１1及び住戸別線Ｌ２を介して幹線制御装置３と接続されることになり、インピーダンスの不整合なくＦＭ映像信号を伝送することができる。また、音声信号についても接点部７０を通して伝送損失の増加なく伝送することができる。
【００３１】
次に、集合住宅の管理室に設置された一斉放送機器（例えば、いわゆる警報監視盤などのように音声入力が可能であって幹線を介して各住戸機に音声信号を送信し得る構成を備えた機器）から全ての住戸の住戸機２に対して避難誘導等ための音声を一斉に放送する場合について説明する。一斉放送を開始するに当たって全ての住戸機２に対して通話制御装置５から制御線Ｌｃを介して制御信号（一斉放送開始コマンド）が伝送され、この一斉放送開始コマンドに応じて全ての住戸機２のＣＰＵ２０が住戸機リレーのリレー接点２９を閉成する。但し、何れの住戸機２においてもＣＰＵ２０は幹線電源重畳回路２００による信号線Ｌｄの線間への直流電圧印加を行わない。したがって、経路切替器１０の幹線リレー駆動部１２Ａ，１２Ｂでは、幹線Ｌ１1，Ｌ１2における信号線Ｌｄの線間に直流電圧が印加されないことから、２つの幹線リレー駆動部１２Ａ，１２Ｂにおける駆動回路１２ｃが双方とも動作せず、各幹線Ｌ１1，Ｌ１2における信号線Ｌｄに挿入された幹線リレー接点１１Ａ，１１Ｂは双方とも共通接点１１ａが常閉側切替接点１１ｂに接続された状態に維持される。また、分岐器７においても住戸別線Ｌ２における信号線Ｌｄの線間に直流電圧が印加されなければ接点切替部７２が接点部７０を切り替えることはなく、接点部７０においては幹線Ｌ１1，Ｌ１2と住戸別線Ｌ２とが切り離された状態に維持される。但し、住戸別線Ｌ２の信号線Ｌｄにおいては、音声信号に関して、分岐器７の音声バイパス回路７１を通して幹線Ｌ１1又はＬ１2と住戸別線Ｌ２とが常に接続された状態にある。
【００３２】
そして、全ての住戸機２に対して通話制御装置５から制御線Ｌｃを介して制御信号（一斉放送終了コマンド）が伝送され、この一斉放送終了コマンドに応じて全ての住戸機２のＣＰＵ２０が住戸機リレーのリレー接点２９を開成することによって、一斉放送を終了する。
【００３３】
上述した動作により、経路切替器１０においては２系統の幹線Ｌ１1，Ｌ１2が双方ともロビーインターホン１側の幹線Ｌ１0と接続され、しかも、分岐器７においては音声信号の伝送線路が音声バイパス回路７１を通して各幹線Ｌ１1，Ｌ１2と接続されるから、一斉放送機器から通話制御装置５を介して通話線Ｌａに送出される一斉放送用の音声信号が各幹線Ｌ１1，Ｌ１2にそれぞれ分岐接続され且つ分岐器７を介して住戸別線Ｌ２で接続されている全ての住戸機２に伝送されてスピーカ２１ｂから出力される。このとき、経路切替器１０では幹線リレー接点１１Ａ，１１Ｂにおける共通接点１１ａが常閉側切替接点１１ｂに接続されて各幹線Ｌ１1，Ｌ１2が幹線Ｌ１0と接続された状態にあるため、何れの住戸機２からも信号線Ｌｄの線間に直流電圧を印加する必要がないから、一斉放送時に信号線Ｌｄの線間に印加される直流電圧の衝突も生じない。
【００３４】
上述のように本実施形態によれば、音声信号を通過させる音声バイパス回路７１が接点部７０におけるロビーインターホン１側の接点（共通接点７０ａ）と住戸別線Ｌ２側の接点（常閉側切替接点７０ｃ）との間に挿入されているため、接点部７０の状態にかかわらず、信号線Ｌｄについては全ての住戸別線Ｌ２が常に幹線Ｌ１と接続された状態となり、分岐器７の音声バイパス回路７１を介して全ての住戸機２に一斉放送を行うことが可能であって、個別通話用の信号線Ｌｄを一斉放送にも用いることで省配線化が図れる。しかも、一斉放送時には何れの住戸機２からも住戸別線Ｌ２に直流電圧を印加する必要が無いから、複数台の住戸機２が同時に直流電圧を印加することによる電圧の衝突が発生せず、不具合の発生を防止することができる。
【００３５】
尚、本実施形態では一斉放送の対象をシステムに含まれる全ての住戸機２として説明したが、必ずしも全ての住戸機２を一斉放送の対象とする必要はなく、例えば、一斉放送の内容に応じて対象とする住戸機２を限定してもよい。
【００３６】
（実施形態２）
本実施形態は、分岐器７における接点切替部７２が具備する電源分離回路７２ｃの構成に特徴があり、これ以外の構成については実施形態１と共通である。故に、実施形態１と共通の構成要素には同一の符号を付して適宜図示並びに説明を省略する。
【００３７】
本実施形態における電源分離回路７２ｃは、図３に示すように実施形態１における電源分離回路７２ｃの回路構成に対し、住戸別線Ｌ２に直流電圧が印加されていないときに入力インピーダンスが高くなり、住戸別線Ｌ２に直流電圧が印加されているときに入力インピーダンスが低くなるインピーダンス切替回路Ｘを追加した点に特徴がある。
【００３８】
インピーダンス切替回路Ｘは、ダイオードブリッジ７２ｂの高電位側の脈流出力端に一端が接続された抵抗Ｒ２と、抵抗Ｒ１の他端とダイオードブリッジ７２ｂの低電位側の脈流出力端の間に接続された定電圧素子としてのツェナーダイオードＺＤ２と、トランジスタＱ１のコレクタにエミッタが接続され、ベースがツェナーダイオードＺＤ２のカソードに接続されるとともにコレクタが抵抗Ｒ１に接続されたｐｎｐ型のバイポーラトランジスタＱ２とで構成される。また、各住戸機２において幹線電源重畳回路２００が信号線Ｌｄの線間に印加する直流電圧の電圧値が、インピーダンス切替回路ＸのツェナーダイオードＺＤ２のツェナー電圧よりも高い値に設定されている。
【００３９】
次に本実施形態における電源分離回路７２ｃの動作を説明する。
【００４０】
まず、個別通話時以外の待機時並びに一斉放送時においては、住戸別線Ｌ２で接続された住戸機２から幹線電源重畳回路２００による信号線Ｌｄへの直流電圧印加が行われないため、当該住戸機２と住戸別線Ｌ２で接続された分岐器７においてはインピーダンス切替回路ＸのツェナーダイオードＺＤ２が導通しない。このため、トランジスタＱ２のベース・コレクタ間にバイアス電圧が印加されず、トランジスタＱ２が導通しないためにインピーダンス切替回路Ｘの入力インピーダンスが高インピーダンスとなるとともに、トランジスタＱ１にはベース電流が流れないので、トランジスタＱ１で構成されるベース接地回路は動作しない。一方、住戸別線Ｌ２を介して接続された住戸機２が個別通話のために幹線電源重畳回路２００から信号線Ｌｄの線間に直流電圧を印加した場合、当該住戸機２と住戸別線Ｌ２で接続された分岐器７においてはインピーダンス切替回路ＸのツェナーダイオードＺＤ２が導通してトランジスタＱ２のベース・コレクタ間にバイアス電圧が印加されてトランジスタＱ２が導通する。このため、電源分離回路７２ｃの入力インピーダンスは、トランジスタＱ２が導通していないときよりも低い状態となり、トランジスタＱ１で構成されるベース接地回路が動作し、接点切替部７２により幹線Ｌ１1が住戸別線Ｌ２と接続されるように接点部７０を切り替える。
【００４１】
すなわち、分岐器７には音声信号を通過させる音声バイパス回路７１が設けられているため、全ての分岐器７の電源分離回路７２ｃが音声信号伝送帯域において伝送線路（信号線Ｌｄ）と常に接続された状態にあるが、住戸別線Ｌ２に直流電圧が印加されていないときの入力インピーダンスを、住戸別線Ｌ２に直流電圧が印加されているときの入力インピーダンスよりも高い値に切り替えるインピーダンス切替回路Ｘを電源分離回路７２ｃに設けているので、一斉放送時若しくは個別通話時に通話対象でない住戸機２と住戸別線Ｌ２で接続された分岐器７の電源分離回路７２ｃではインピーダンス切替回路Ｘによって入力インピーダンスが高インピーダンスとなり、電源分離回路７２ｃによって伝送線路（信号線Ｌｄ）のインピーダンスが低下することを防止でき、伝送線路に接続可能な住戸機２の台数を増やすことができる。
【００４２】
ところで、一斉放送時若しくは個別通話時に通話対象でない住戸機２と住戸別線Ｌ２で接続された分岐器７においても音声バイパス回路を通して音声信号が伝送されるため、音声信号の振幅が大きくなると直流電圧が印加されていないにもかかわらず電源分離回路７２ｃが誤動作を起こしてしまう虞がある。このような不具合の発生を防ぐためには音声信号の振幅を低く抑えるという方法があるが、音声信号の振幅を低くしてしまうと伝送距離が短くなるというデメリットが生じる。しかしながら、上述のように電源分離回路７２ｃに定電圧素子（ツェナーダイオードＺＤ２）を含むインピーダンス切替回路Ｘを設けた構成であれば、直流電圧が印加されていないときに音声信号の振幅がツェナーダイオードＺＤ２のツェナー電圧を超えない限りは電源分離回路７２ｃが誤動作することはないから、音声信号の振幅をツェナー電圧を超えないレベルまで大きくすることができ、音声信号の伝送距離を伸ばすことが可能になる。
【００４３】
尚、本実施形態では定電圧素子としてツェナーダイオードＺＤ２を用いたが、複数個のダイオードの直列回路をツェナーダイオードＺＤ２の代わりに用いても構わない。
【図面の簡単な説明】
【００４４】
【図１】実施形態１における分岐器を示し、（ａ）は全体の概略回路図、（ｂ）は電源分離回路の概略回路図である。
【図２】同上のシステム構成図である。
【図３】実施形態２における電源分離回路の概略回路図である。
【符号の説明】
【００４５】
７  分岐器
７０  接点部
７１  音声バイパス回路
７２  接点切替部
７２ｃ  電源分離回路
【図１】
2006174075.tif 000003
【図２】
2006174075.tif 000004
【図３】
2006174075.tif 000005